(57)【要約】対話形電子タグ（ＩＤ）を利用する対話形システムが、タグ読取り装置（２４）及び処理端末装置（３２）を有する。電子タグ（ＩＤ）に記憶されているプロファイル情報は、別のタグ（ＡＣＴ）のもつ動作命令、例えば切取り、コピー、貼付け、削除等に従って更に別のタグ（ＰＲＩＮＦ）の持つ、販売促進データであり得るプロファイルデータを用いることにより、前記対話形タグ、前記別のタグ及び前記更に別のタグがタグ読取り装置（２４）によって一緒に読み取られる場合に変更できる。
2005532623.tif 000002
【特許請求の範囲】
【請求項１】
対話形システム中のユーザプロファイルを更新する方法であって、識別子タグ（ＩＤ）に含まれている情報と、少なくとも１つの互換性のあるプロファイルデータタグ（ＰＲＩＮＦ）とを組み合わせることを特徴とする方法。
【請求項２】
プロファイルデータタグ（ＰＲＩＮＦ）に含まれている情報は、識別子タグ（ＩＤ）にコピーされることを特徴とする請求項１記載の方法。
【請求項３】
対話形タグ（ＩＤ）の記憶フィールド中の情報を更新する方法であって、対話形タグの記憶フィールドにアクセスし、第２のタグ（ＰＲＩＮＦ）からプロファイル情報を更新するために用いられるデータを決定し、プロファイル情報を第３のタグ（ＡＣＴ）に含まれている動作命令に従って更新することを特徴とする方法。
【請求項４】
第２のタグと第３のタグは、対話形タグと一緒に読み取られることを特徴とする請求項３記載の方法。
【請求項５】
対話形タグ、第２のタグ及び第３のタグを実質的に同時に読取りステーションに提供することを特徴とする請求項３記載の方法。
【請求項６】
タグが読取りステーションから取り出されるとプロファイル情報を更新することを特徴とする請求項５記載の方法。
【請求項７】
タグ読取り手段と、個人識別子情報の記憶部及びプロファイル情報を記憶するプログラム可能な空間を備えた対話形タグ（ＩＤ）と、プロファイルデータを保持する第２のタグ（ＰＲＩＮＦ）と、動作指令を保持する第３のタグ（ＡＣＴ）と、動作指令に従ってプロファイルデータ及びプロファイル情報を用いるよう対話形タグ、第２のタグ及び第３のタグの同時読取りに応答する手段とを有していることを特徴とする対話形システム。
【請求項８】
タグ読取り手段は、ＲＦ結合手段を有し、対話形タグ、第２のタグ及び第３のタグは各々、ＲＦ結合手段に用いられるコイルを有していることを特徴とする請求項７記載のシステム。
【請求項９】
少なくとも第２のタグ（ＰＲＩＮＦ）及び第３のタグ（ＡＣＴ）は、受動形タグであり、これらタグは、ＲＦ結合手段を介して電力供給されることを特徴とする請求項８記載の装置。
【請求項１０】
タグ読取り装置を条件付ける識別情報及びプロファイル情報を記憶した記憶手段を有していることを特徴とする対話形タグ（ＩＤ）。
【請求項１１】
記憶されたプロファイルデータを持つ対話形タグ（ＩＤ）であって、前記記憶されたプロファイルデータは、対話形タグと一緒に読み取られると、別のタグ（ＡＣＴ）によって保持された動作指令に従って所望通りに変更できることを特徴とする対話形タグ（ＩＤ）。
【請求項１２】
記憶されたプロファイル情報を有する対話形タグ（ＩＤ）であって、前記記憶プロファイル情報は、別のタグ（ＡＣＴ）によって保持された動作指令に従って更に別のタグ（ＰＲＩＮＦ）によって保持されたプロファイルデータにより、前記対話形タグ、もう１つのタグ及び別のタグを一緒に読み取ったときに操作できることを特徴とする対話形タグ（ＩＤ）。
【請求項１３】
製品／役務の販売促進方法であって、プロモータが物品と共に発行するために販売促進データを記憶したプロファイルタグ（ＰＲＩＮＦ）を提供し、ユーザがプログラム可能な記憶空間を備えた対話形タグ（ＩＤ）を有し、販売促進データを用いてプロファイルタグ及び対話形タグと一緒に読み取られるアクションタグ（ＡＣＴ）に保持された動作指令に従ってプログラム可能な記憶空間の内容を変更し、適切な製品／役務提供業者がプロモータに報酬を支払うことを特徴とする方法。
【請求項１４】
プロファイルタグ（ＰＲＩＮＦ）は、１回だけ読み取られるタグであることを特徴とする請求項１３記載の方法。
【発明の詳細な説明】
【発明の詳細な説明】
【０００１】
本発明は、電子対話形タグを用いる対話形システムに関する。
【０００２】
電子対話形タグには２つのタイプ、即ち能動形と受動形のものがある。能動形タグは、物理的に小形で低漏洩バッテリの形態をしたそれ自体の電源を備えている。かかるタグは通常は、問合せ低電力無線信号に応答するトランスポンダ型のものであり、かかる応答は、用途に応じて、同一の又は異なる周波数のいずれか、例えば問合せ周波数の分周波で任意的に符号化された状態の応答信号を発生させることによって行われる。受動形タグ、即ち、バッテリを備えていないタグは、小売業者から盗まれた商品の検出や輸送中の商品の追跡に広く用いられている。かかる単純なタグは、製品の包装に組み込まれ、これらが大小の小売店、百貨店等の出口のところで特別に指定されたゲートを通過する際に検出できる。販売されるべき物品に取り付けられているタグの場合、かかるタグは、販売時点で取り外され、購入者は、遮られることなく出口を通過することができる。
【０００３】
バーコードと非常によく似た仕方でパッケージに付けられた一意的な（固有の）シリアルナンバを備えているが、バーコードほどラベルの向きの影響を受けないという利点を持つより複雑精巧なタグが用いられている。タグの検出可能な範囲は、タグのタイプで決まるが、数センチメートルから約１メートルの範囲である。シリアルナンバにより、パッケージは、商品の流通上必要な追跡及び人員や機材等の配備から空港の手荷物の経路設定に至るまでの範囲にわたるタグの広範な用途を提供する一意的な識別情報を保持することができる。
【０００４】
現在用いられているタグは、追加のデータを記憶するのに利用できるデバイス中に代表的には約１００〜３０００バイトの未使用のプログラム可能なデータ空間を有する場合が多い。例えば、或る人が、特定のサービス（本明細書中、役務という場合がある）に加入しようとし、好みの食事を申し込み、又は或る人が買い物の最中に商品、例えば衣類についてＳＭＳ（ショートメッセージサービス）による割引を利用できることを示したい場合がある。タグをプログラムする場合の問題は、このためには消費者には利用できない専門家用ハードウェア及びソフトウェアが必要になるということである。この結果としてタグの普及及びこれらの用途が狭められている。
【０００５】
本発明の目的は、タグのプログラミングを容易にすることにある。
【０００６】
本発明の第１の特徴によれば、対話形システム中のユーザプロファイルを更新する方法であって、識別子タグに含まれている情報と、少なくとも１つの互換性のあるプロファイルデータタグとを組み合わせることを特徴とする方法が提供される。
【０００７】
本発明の第２の特徴によれば、対話形タグの記憶フィールドの情報を更新する方法であって、対話形タグの記憶フィールドにアクセスし、第２のタグからプロファイル情報を更新するために用いられるデータを決定し、プロファイル情報を第３のタグに含まれている動作命令に従って更新することを特徴とする方法が提供される。
【０００８】
本発明の第３の特徴によれば、タグ読取り手段と、個人識別子情報の記憶部及びプロファイル情報を記憶するプログラム可能な空間を備えた対話形タグと、プロファイルデータを保持する第２のタグと、動作指令を保持する第３のタグと、動作指令に従ってプロファイルデータ及びプロファイル情報を用いるよう対話形タグ、第２のタグ及び第３のタグの同時読取りに応答する手段とを有していることを特徴とする対話形システムが提供される。
【０００９】
本発明の第４の特徴によれば、製品／役務の販売促進方法であって、プロモータが物品と共に発行するために販売促進データを記憶したプロファイルタグを提供し、ユーザがプログラム可能な記憶空間を備えた対話形タグを有し、販売促進データを用いてプロファイルタグ及び対話形タグと一緒に読み取られるアクションタグに保持された動作指令に従ってプログラム可能な記憶空間の内容を変更し、適切な製品／役務提供業者がプロモータに報酬を支払うことを特徴とする方法が提供される。
【００１０】
本発明の第５の特徴によれば、タグ読取り装置を条件付ける識別情報及びプロファイル情報を記憶した記憶手段を有していることを特徴とする対話形タグが提供される。
【００１１】
本発明の第６の特徴によれば、記憶されたプロファイルデータを持つ対話形タグであって、記憶されたプロファイルデータは、対話形タグと一緒に読み取られると、別のタグによって保持された動作指令に従って所望通りに変更できることを特徴とする対話形タグが提供される。
【００１２】
本発明の第７の特徴によれば、記憶されたプロファイル情報を有する対話形タグであって、記憶プロファイル情報は、別のタグによって保持された動作指令に従って更に別のタグによって保持されたプロファイルデータにより、対話形タグ、もう１つのタグ及び別のタグを一緒に読み取ったときに操作できることを特徴とする対話形タグが提供される。
【００１３】
次に、添付の図面を参照して本発明を例示として説明する。
【００１４】
図中、同一の参照符号は、対応関係にある特徴を示すために用いられている。
【００１５】
図１を参照すると、図示の受動形タグ１０は、螺旋状コイルアンテナ１４に結合された集積回路（またはチップ）１２を有している。チップ１２（これは、ＣＭＯＳ技術を用いて作製されたものであってもよい）は、処理ステージ１８に結合された無線トランシーバ１６を有している。電源ステージ２２が、チップ１２に流れる電流をタグ読取り装置２４（図２）により誘導的に受け取られたＲＦ電力から引き出すためにアンテナ１４に結合されている。ステージ２２は、電流を誘導的に供給された電力から引き出し、これをプロセッサ１８に供給する整流手段を有し、プロセッサ１８は、チップ１２内の他のステージへの配電を行う。
【００１６】
タグ１０は、能動形タグ、即ち、回路が電源ステージ２２に取って代わった一体形バッテリ２３により電力供給されるタグであってもよく、これを用いるかどうかは任意である。
【００１７】
受動形タグではなく能動形タグであるのがよい対話形（又は識別子）タグと称するものの場合、１００〜３０００バイト程度の記憶空間を持つＲＡＭ２０は代表的には、ユーザの識別情報及び契約の細目を記憶している。この情報は、ＲＡＭ中の利用可能なプログラム可能領域の一部を占めるに過ぎない。残りのデータ空間は、他の目的、例えばユーザのプロファイル又はＵＲＬに用いることができる。
【００１８】
残りのデータ空間をプログラムすることは、平均的な消費者には入手できない専門家用ハードウェア及びソフトウェアを用いて行われているのが通例である。本発明の方法は、識別子タグに残存しているデータ空間のプログラミングを行うよう互いに異なるタイプの協働して読み取られるタグを利用する。
【００１９】
図２を参照すると、タグ読取り装置２４は、浅い凹状皿の中央で保護カバー２７の下に配置されたコイルの形態をしている誘導変換器２６、例えばアンテナを有している。変換器２６は、受信器及びマイクロコントローラ３０に結合された出力を持つ復調器２８を含むモジュールに結合されている。送信器を構成するＲＦ増幅器３２が、マイクロコントローラ３０の出力と変換器２６との間に結合されている。送信器は、任意適当な周波数、例えば１３．５６ＭＨｚで動作するのがよい。マイクロコントローラ３０は、１３．５６ＭＨｚ信号の変調を制御し、復調器２８により導き出されたデータを処理する。マイクロコントローラは、データリンク３４により処理装置３６に結合されており、この処理装置は、ＶＤＵ４０及びキーボード４２を備えたパーソナルコンピュータ３８又はＶＤＵ４０を備えた専用ユニットであるのがよい。データリンク３４は、電力及び２方向データを運ぶことができるＵＳＢコネクタを有し又は機能的にこれと同一である。
【００２０】
マイクロコントローラ３０は、変調の時間及び長さについて論理信号を出し、１３．５６ＭＨｚキャリヤがこの論理信号で変調され、それによりデータが処理装置から関連のタグに伝送される。
【００２１】
データを、“２５６のうちから１”方式パルスポジションコード（1 out of 256 Pulse Position Code）として又は他の或る適当な技術によりタグに伝送されるようにしてもよい。電力は、疎結合変成器の原理を用いてタグに送られ、それによりアンテナコイル２６が磁界を発生させる。磁束のうち何割かは、アンテナコイル２６に密接して位置するタグアンテナを通り、この中に電圧を誘導発生させる。電圧は、電流を引き出し、タグは動作を開始することになる。
【００２２】
これとは逆方向にデータをタグから４２３．７５ｋＨｚでマンチェスターコード化サブキャリヤとして伝送されてもよい。用いられる方法は、タグが伝送されるべき情報に従って磁界に加わる負荷を連続的に変化させる「負荷変調」方式であるのがよい。磁界を弱めることは、受信器２８によって検出される。
【００２３】
変更され得るプロファイル情報を含む場合のある対話形タグＩＤのＲＡＭ２０（図１）中の未使用データ空間のプログラミングを行うため、互いに異なるタイプの１以上のタグが、これらをタグ読取り装置２４を変換器２６上のカバー２７の上に単に置くだけで対話形タグＩＤと関連して用いられる。各タイプのタグにより保持された情報は、タグ読取り装置２４によって読み取られて処理装置３２に中継され、この処理装置は、対話形タグＩＤのＲＡＭ２０（図１）に記憶されているプロファイル情報の更新を開始させる。他のタイプのタグとしては、プロファイル情報タグＰＲＩＮＦ及びアクションタグＡＣＴが挙げられる。種々のタイプのタグのアーキテクチャは、これらがチップ１２及び螺旋コイル１４を有している点において図１に示すアーキテクチャと類似している。
【００２４】
受動形タグとして用いられがちなアクションタグＡＣＴは、カード読取り装置２４によって読み取られると、対話形タグＩＤに記憶されている或る範囲の動作、例えば加算、減算、乗算、除算、切り取り、コピー、貼り付け、削除、保護又は非保護情報のうち任意の１つを実行するよう用いることができる特定の動作指令を有している。加うるに、アクションタグＡＣＴは、識別子タグによってリリースされる情報がどのようなものであるかを制御する機能、即ち、あらゆる情報を通過させる機能、プロファイルだけう通過させる機能、又は優先順位の高い情報だけを通過させる機能を備えている。
【００２５】
受動形タグとして用いられがちなプロファイル情報タグＰＲＩＮＦは、アクションタグＡＣＴから読み出された動作指令に応じて対話形タグＩＤに伝送され又は対話形タグＩＤに記憶されているデータに関する動作に含まれるよう意図された情報を保持する。この情報は、金額又はＵＲＬの場合がある。プロファイル情報タグＰＲＩＮＦに保持されるのは唯一この情報であり、これを一旦コピーすると、現実にコピーされた情報は、保護され又は再コピー防止のために削除される。データは、対話形タグＩＤにコピーでき、又は例えば商取引の支払いの際に用いられるタグ読取り装置によってコピー可能である。あらゆる場合において、受け取った情報はプロファイル情報タグＰＲＩＮＦから削除される。別の種類のプロファイル情報タグは、特定のサービス、定期購読又はメンバー構成へのアクセス手段を持っている。これらタグは、別のタグと一緒に用いられることに限って設計されている。或る状況下では、これらタグは、情報が対話形タグＩＤにコピーされると破壊され又はコピー防止される。
【００２６】
情報が対話形タグに送られると、情報は、これが上書きされ又は消去されるまでこのタグに保持される。
【００２７】
図２を参照して説明した実施形態の変形例では、タグは、現実にはタグ読取り装置内には配置されないが、タグ読取り装置を収納したブースとして具体化可能なタグ読取り装置の近接範囲内に入ると同時に読取りが行われ、これらタグは、ユーザの身に付けられている。互いに関連の無いタグの偶然の一致ではなく、タグの同時存在をグループとして確認することは、タグが同時に範囲外に出ることによって行われる。これを利用すると、タグ読取りシステムへの意味の結合をトリガすることができる。
【００２８】
プロファイル情報タグＰＲＩＮＦの利用可能な用途の一例は、大型ショッピングモールを訪れた際にどのゴルフ用品及びサービスを利用できるかに興味を持っている関係者を刺激することにある。これを行うため、プロモータは、「ゴルフ」を持つＰＲＩＮＦタグをプロファイル情報としてゴルフ雑誌の発行者に提供利用できるようにする。破棄可能な１回のみ読取り型のタグであるＰＲＩＮＦタグは、ユーザにより雑誌から取り外され、そして本発明の方法を用いることにより、ユーザの対話形タグＩＤ（能動形タグであるのがよい）に記憶されている自分の個人プロファイルを、関心のあるトピックとして「ゴルフ」を含むよう更新する。ユーザがショッピングモールを歩き回っているとき、自分のプロファイルは、店の入口でタグ読取り装置によって読み取られ、もしゴルファーにとって関心のある何か、例えば装備品、衣類、シューズ、本及び雑誌があれば、これはユーザの関心を惹起し、その結果売れる場合がある。
【００２９】
この販売促進のための資金を調達するため、プロモータは種々の店及び製品供給業者に料金を請求する。
【００３０】
変形例では、ＰＲＩＮＦタグは、対話形タグのユーザが割引をしてもらうことができるようにする手段である場合がある。例えば、ゴルフ雑誌には、「ゴルファーがＸＹＺショッピングモールを訪れた際、ＳＭＳ（ショートメッセージサービス）により大割引してもらう」というメッセージを持つプロファイル情報タグＰＲＩＮＦが付けられる。移動電話を所持している消費者は、このタグを２通りに用いることができる。第１に、ユーザ自身の対話形タグ、「加える」又は「組み合わせる」動作指令を含むアクションタグ及びプロファイル情報タグをタグ読取り装置に提出することによりこのメッセージをユーザの対話形タグのプロファイル情報に関連付けることであり、タグリーダは、これらタグを同時に検出してＳＭＳサービスを開始させる。第２に、メッセージをユーザの対話形タグの動的空間内のプロファイル情報に加え、その結果、プロファイル情報タグＰＲＩＮＦを破棄することにより事前にこのアクションを取ることである。
【００３１】
両方の場合において、タグ情報は、ショッピングモールの店の戸口のところで検出でき、それにより対話形タグに記憶されているユーザ情報の一部である個人の電話番号を割引情報と一緒に読み取ることができ、それによりＳＭＳサービスを開始させる。この結果、ＳＭＳメッセージが送られ、その人がちょうど入った店で販売の割引が提供されるので販売のチャンスが増える。
【００３２】
プロモータは、店の記録からこの種の割引価格による販売促進の有効性を判断することができる。この情報を把握して、プロモータは、仕入先だけでなく雑誌発行者（又はＰＲＩＮＦタグを流通させるのに用いることができる商品の任意他の供給業者）と自分の商取引について交渉することができる。
【００３３】
この説明及び他の事例では、アクションタグＡＣＴと対話形タグＩＤ及びプロファイル情報タグＰＲＩＮＦが同一場所に存在することにより、タグ読取り装置による対話形タグのＲＡＭに記憶されている情報の更新が生じる。
【００３４】
原文である英文明細書本文及び特許請求の範囲の記載に関し、構成要素の単語の前に付いている冠詞“ａ”又は“ａｎ”は、かかる要素が複数存在することを否定するものではない。さらに、「〜を有する（含む）（comprising）」という表現は、記載した要素又はステップ以外の要素又はステップの存在を否定するものではない。
【００３５】
本明細書を読むと、当業者であれば、他の変形例を想到できよう。かかる変形例は、同一場所に置かれるタグ及びこれらのコンポーネント部品を用いる対話形システムの設計、製造及び使用において既に知られた他の特徴及び本明細書において上述した特徴に代え又はこれに加えて用いることができる他の特徴を含む場合がある。本願では特定の特徴の組合せに合わせて特許請求の範囲を作成したが、本願の開示の範囲は、これが任意の請求項に現在記載されているのと同一の発明に関するものであるにせよそうでないにせよ、また、本発明が解決しようとするのと同一の技術的課題のうち任意のもの又は全てを解決するものであるにせよそうでないにせよいずれにせよ、明示であれ黙示であれ開示した新規な特徴又は新規な特徴の組合わせ又はこれらの一般化を含むことは理解されるべきである。したがって、本出願人は、本願又はこれから派生した任意の別出願の手続き遂行中、かかる特徴及び（又は）かかる特徴の組合せに適合するよう新しい特許請求の範囲を作成できることを告示するものである。
【図面の簡単な説明】
【００３６】
【図１】受動形タグの略図である。
【図２】ケーシングの一部を幾つかの互いに異なる形式のタグと共に切り欠いた状態のタグ読取り装置の略図である。
【図１】
2005532623.tif 000003
【図２】
2005532623.tif 000004
【国際調査報告】
2005532623.tif 000005
2005532623.tif 000006
2005532623.tif 000007